(57)【要約】【課題】  どこででも手軽に小さな力で確実にディスク型記録媒体を破棄処理することが可能であり、ディスク型記録媒体のサイズに影響されずにその記録面の全体を万遍なく確実に傷付け処理することのできるディスク型記録媒体の破棄処理装置を提供する。【解決手段】  ディスクＤの記録面に押し付けた掻き歯を螺旋状に移動させる掻き歯動作機構５を備える。掻き歯動作機構５が、回転部材６と、手動ハンドル５２と、スクリュー機構７とを有し、スクリュー機構７が、スクリュー７１と、従動子７２と、輪体７４と、ガイド７５とを備える。ディスクＤの共回りを防ぐ摩擦載置面２４や摩擦面３２を備えている。【選択図】        図１
2005122850.tif 000002
【特許請求の範囲】
【請求項１】
ディスク型記録媒体の記録面を傷付けるための掻き歯を有するディスク型記録媒体の破棄処理装置において、
上記記録面に押し付けられた上記掻き歯を、その記録面上で螺旋状に移動させる掻き歯動作機構を備え、
この掻き歯動作機構が、単一の掻き歯を保持して上記記録面との対向位置で回転操作される回転部材と、この回転部材を回転操作するための手動ハンドルと、この回転部材の回転に同調してその回転部材に保持されている上記掻き歯をディスク型記録媒体の半径方向に移動させるためのスクリュー機構とを有し、このスクリュー機構が、回転軸線を上記ディスク型記録媒体の半径方向に沿わせて上記回転部材に取り付けられたスクリューと、このスクリューに噛み合いかつそのスクリューの回転に同調して上記掻き歯を伴ってスクリューの軸線方向に送り移動される従動子と、上記スクリューに連結されかつ上記回転部材の回転に同調して定位置に配備された摩擦面上を転動することにより上記スクリューをその回転軸線周りに回転させる輪体と、上記回転部材に設けられて上記従動子の送り移動をスクリューの軸線方向に案内するガイドとを備えていると共に、
ディスク型記録媒体が載置されかつ上記記録面に押し付けられた上記掻き歯が螺旋状に移動する際のディスク型記録媒体の共回りを摩擦抵抗によって抑制する摩擦載置面を備え、上記摩擦載置面が、上記掻き歯に近付く方向に弾発付勢された支持体上に設けられたゴム部材の表面によって形成され、その摩擦載置面上に、積重ねられた複数枚の記録媒体を収容するための積重ねディスク収容スペースが形成され、この積重ねディスク収容スペースの周囲に、そのスペースに収容された個々のディスク型記録媒体の外周面に接触して上記共回りを抑制するための摩擦抵抗を付与する摩擦面が配備されていて、この摩擦面が円筒状ゴム部材の内周面によって形成されていることを特徴とするディスク型記録媒体の破棄処理装置。
【請求項２】
ディスク型記録媒体の記録面を傷付けるための掻き歯を有するディスク型記録媒体の破棄処理装置において、
上記記録面に押し付けられた上記掻き歯を、その記録面上で螺旋状に移動させる掻き歯動作機構を備えているディスク型記録媒体の破棄処理装置。
【請求項３】
上記掻き歯動作機構が、掻き歯を保持して上記記録面との対向位置で回転操作される回転部材と、この回転部材の回転に同調してその回転部材に保持されている上記掻き歯をディスク型記録媒体の半径方向に移動させるためのスクリュー機構とを有する請求項２に記載したディスク型記録媒体の破棄処理装置。
【請求項４】
上記スクリュー機構が、回転軸線を上記ディスク型記録媒体の半径方向に沿わせて上記回転部材に取り付けられたスクリューと、このスクリューに噛み合いかつそのスクリューの回転に同調して上記掻き歯を伴ってスクリューの軸線方向に送り移動される従動子と、上記スクリューに連結されかつ上記回転部材の回転に同調して定位置に配備された摩擦面上を転動することにより上記スクリューをその回転軸線周りに回転させる輪体とを備えている請求項３に記載したディスク型記録媒体の破棄処理装置。
【請求項５】
上記スクリュー機構に、上記回転部材に設けられて上記従動子の送り移動をスクリューの軸線方向に案内するガイドが含まれている請求項４に記載したディスク型記録媒体の破棄処理装置。
【請求項６】
ディスク型記録媒体が載置されかつ上記記録面に押し付けられた上記掻き歯が螺旋状に移動する際のディスク型記録媒体の共回りを摩擦抵抗によって抑制する摩擦載置面を備えている請求項２ないし請求項５に記載したディスク型記録媒体の破棄処理方法。
【請求項７】
上記摩擦載置面が、上記掻き歯に近付く方向に弾発付勢された支持体上に設けられたゴム部材の表面によって形成され、その摩擦載置面上に、積重ねられた複数枚の記録媒体を収容するための積重ねディスク収容スペースが形成されている請求項６に記載したディスク型記録媒体の破棄処理装置。
【請求項８】
上記積重ねディスク収容スペースの周囲に、そのスペースに収容された個々のディスク型記録媒体の外周面に接触して上記共回りを抑制するための摩擦抵抗を付与する摩擦面が配備されている請求項７に記載したディスク型記録媒体の破棄処理装置。
【請求項９】
上記回転部材を回転操作するための手動ハンドルがその回転部材に連結されている請求項２ないし請求項８のいずれかに記載したディスク型記録媒体の破棄処理装置。
【発明の詳細な説明】
【技術分野】
【０００１】
本発明は、ＣＤ（コンパクトディスク）などのディスク型記録媒体の記憶面に掻き傷を付けてその記録媒体の記録情報の読取りを不可能にしてその記録情報を他人に見られなくすることに用いられるディスク型記録媒体の破棄処理装置に関する。
【背景技術】
【０００２】
従来、光ディスクを再使用を不能にするための処理として、光ディスクの面を多数の突起でプレスすることによって粗面化するという手段、光ディスクの面にワイヤーブラシによる掻き傷を付けるという手段、光ディスクの面を化学的に処理するという手段が知られていた。また、光ディスクを定置したり一方向に送り移動させたりすることによってそれらの手段を実行することなどが知られていた（たとえば、特許文献１参照）。
【０００３】
また、特願２０００３−０８０９０１号では、ハンドル部材によって回転操作される長板材に多数の突起を具備させ、その突起をディスク型記録媒体の記録面に押し付けて回転操作することによって記録媒体に同心円状の掻き傷を付け、それによって記録媒体の記録情報を読取り不可能にするという記憶媒体の破棄装置が提案されている。
【０００４】
【特許文献１】特開昭６０−２３９９３０号公報
【発明の開示】
【発明が解決しようとする課題】
【０００５】
しかしながら、特許文献１に記載されている破棄処理方法のうち、多数の突起を押し付けて光ディスクの面を粗面化するという技術では、人力で操作される押圧板に多数の突起を具備させるようにしているので押圧板の操作に大きな力が必要になり、その力が小さいと十分な粗面化がなされなくなるという事態が起こって破棄処理が確実に行われなくなるおそれがある。また、ワイヤーブラシを用いる方法では、ワイヤーブラシのワイヤーに比較的硬質の高価な線材を用いなければ十分の傷付け処理を行えなくなるおそれがあるだけでなく、繰返し使用により生じるワイヤーの曲り癖によって傷付け処理の信頼性が損なわれるおそれがある。さらに、化学的処理による方法では、光ディスクの表面を液体処理する必要があるので手軽に使用することができるというものではなく、また、処理液の廃棄の仕方などに多くの制約があるために、使用環境が限られるなどの問題がある。
【０００６】
これに対し、特願２０００３−０８０９０１号のものはどこででも手軽に使用することができるという長所がある反面で、長板材に多数の掻き歯としての突起を具備させることが必要であるため、多数の突起が必要になってそのことがコストアップにつながるというおそれがある。また、記録媒体の記録面に対する傷付け範囲が、長板材に備わっている多数の突起の設置範囲によって一定の範囲内に定まってしまう。そのため、たとえば、小サイズの記録媒体のサイズに合わせて突起の設置範囲が定められているものでは、大サイズの記録媒体の記録面の全体に亘って掻き傷を付けるということができなくなるのに対し、大サイズの記録媒体のサイズに合わせて突起の設置範囲が定められているものでは、小サイズの記録媒体の記録面に掻き傷を付けるときに、小サイズの記録媒体が載置されている面の空きスペースとなる箇所が傷付けられてしまうという不都合を生じるおそれがある。
【０００７】
本発明は以上の状況の下でなされたものであり、どこででも手軽に使用することが可能であり、多数の掻き歯を用いる必要をなくし、使用に際してそれほど大きな力を必要とせず、しかも、ディスク型記録媒体のサイズに影響されずにその記録面の全体を万遍なく確実に傷付け処理することができ、しかも、記録媒体を載置している箇所を傷付けてしまうといった事態を起こさずに破棄処理することが可能になるディスク型記録媒体の破棄処理装置を提供することを目的とする。
【０００８】
また、本発明は、複数枚のディスク型記録媒体を次々と連続して破棄処理することが可能なディスク型記録媒体の破棄処理装置を提供することを目的とする。
【課題を解決するための手段】
【０００９】
本発明に係るディスク型記録媒体の破棄処理装置は、ディスク型記録媒体の記録面を傷付けるための掻き歯を有するディスク型記録媒体の破棄処理装置において、上記記録面に押し付けられた上記掻き歯を、その記録面上で螺旋状に移動させる掻き歯動作機構を備えている。これによれば、ディスク型記録媒体の記録面に螺旋状の掻き傷を付けるという破棄処理が可能になる。
【００１０】
本発明では、上記掻き歯動作機構が、掻き歯を保持して上記記録面との対向位置で回転操作される回転部材と、この回転部材の回転に同調してその回転部材に保持されている上記掻き歯をディスク型記録媒体の半径方向に移動させるためのスクリュー機構とを有することが望ましい。これによれば、回転部材の回転に同調して掻き歯がディスク型記録媒体の半径方向に移動するので、回転部材を回転させる操作を行うだけでディスク型記録媒体の記録面に螺旋状の掻き傷を付けるという破棄処理が可能になる。
【００１１】
本発明では、上記スクリュー機構が、回転軸線を上記ディスク型記録媒体の半径方向に沿わせて上記回転部材に取り付けられたスクリューと、このスクリューに噛み合いかつそのスクリューの回転に同調して上記掻き歯を伴ってスクリューの軸線方向に送り移動される従動子と、上記スクリューに連結されかつ上記回転部材の回転運動に同調して定位置に配備された摩擦面上を転動することにより上記スクリューをその回転軸線周りに回転させる輪体とを備えていることが望ましい。また、上記スクリュー機構に、上記回転部材に設けられて上記従動子の送り移動をスクリューの軸線方向に案内するガイドが含まれている、という構成を採用することも可能である。これらの発明によれば、スクリュー機構の作用により、回転部材の回転に同調して掻き歯がディスク型記録媒体の半径方向に確実に移動するので、ディスク型記録媒体の記録面に螺旋状の掻き傷を付けるという破棄処理の処理信頼性が向上する。
【００１２】
本発明では、ディスク型記録媒体が載置されかつ上記記録面に押し付けられた上記掻き歯が螺旋状に移動する際のディスク型記録媒体の共回りを摩擦抵抗によって抑制する摩擦載置面を備えていることが望ましい。これによれば、掻き歯の移動による掻き傷が確実にディスク型記録媒体に形成されるようになる。
【００１３】
本発明では、上記摩擦載置面が、上記掻き歯に近付く方向に弾発付勢された支持体上に設けられたゴム部材の表面によって形成され、その摩擦載置面上に、積重ねられた複数枚の記録媒体を収容するための積重ねディスク収容スペースが形成されている、という構成を採用することが可能であり、その場合には、上記積重ねディスク収容スペースの周囲に、そのスペースに収容された個々のディスク型記録媒体の外周面に接触して上記共回りを抑制するための摩擦抵抗を付与する摩擦面が配備されていることが望ましい。これによれば、複数枚のディスク型記録媒体を次々と破棄処理することが可能になる。
【００１４】
本発明では、上記回転部材を回転操作するための手動ハンドルがその回転部材に連結されている、という構成を採用することが可能であり、これによれば、人力による破棄処理を手軽に行うことができるようになる。
【００１５】
本発明に係るディスク型記録媒体の破棄処理装置は、次の構成を採用することによっていっそう具体化される。すなわち、ディスク型記録媒体の記録面を傷付けるための掻き歯を有するディスク型記録媒体の破棄処理装置において、上記記録面に押し付けられた上記掻き歯を、その記録面上で螺旋状に移動させる掻き歯動作機構を備え、この掻き歯動作機構が、単一の掻き歯を保持して上記記録面との対向位置で回転操作される回転部材と、この回転部材を回転操作するための手動ハンドルと、この回転部材の回転に同調してその回転部材に保持されている上記掻き歯をディスク型記録媒体の半径方向に移動させるためのスクリュー機構とを有し、このスクリュー機構が、回転軸線を上記ディスク型記録媒体の半径方向に沿わせて上記回転部材に取り付けられたスクリューと、このスクリューに噛み合いかつそのスクリューの回転に同調して上記掻き歯を伴ってスクリューの軸線方向に送り移動される従動子と、上記スクリューに連結されかつ上記回転部材の回転に同調して定位置に配備された摩擦面上を転動することにより上記スクリューをその回転軸線周りに回転させる輪体と、上記回転部材に設けられて上記従動子の送り移動をスクリューの軸線方向に案内するガイドとを備えていると共に、ディスク型記録媒体が載置されかつ上記記録面に押し付けられた上記掻き歯が螺旋状に移動する際のディスク型記録媒体の共回りを摩擦抵抗によって抑制する摩擦載置面を備え、上記摩擦載置面が、上記掻き歯に近付く方向に弾発付勢された支持体上に設けられたゴム部材の表面によって形成され、その摩擦載置面上に、積重ねられた複数枚の記録媒体を収容するための積重ねディスク収容スペースが形成され、この積重ねディスク収容スペースの周囲に、そのスペースに収容された個々のディスク型記録媒体の外周面に接触して上記共回りを抑制するための摩擦抵抗を付与する摩擦面が配備されていて、この摩擦面が円筒状ゴム部材の内周面によって形成されている、という構成を採用することによっていっそう具体化される。この発明の構成や作用については後述する実施形態を参照して詳細に説明する。
【発明の効果】
【００１６】
本発明に係るディスク型記録媒体の破棄処理装置によれば、どこででも手軽に小さな力で確実にディスク型記録媒体を破棄処理することが可能であるだけでなく、ディスク型記録媒体のサイズに影響されずにその記録面の全体を万遍なく確実に傷付け処理することができ、しかも、記録媒体を載置している箇所を傷付けてしまうといった事態を起こさずに破棄処理することが可能になる。また、複数枚のディスク型記録媒体を次々と連続して破棄処理し得るようにも構成することができるので、処理枚数の多少にかかわらず効率よく破棄処理することが可能になる。しかも、多数の掻き歯を用いる必要が必ずしもなく、単一の掻き歯を用いたものであってもディスク型記録媒体の記録面の全体を万遍なく傷つけ処理することができるので、破棄処理信頼性に優れた当該破棄処理装置を安価に提供することが可能になる。
【発明を実施するための最良の形態】
【００１７】
図１は本発明に係るディスク型記録媒体（以下「ディスク」という）の破棄処理装置の概略縦断正面図、図２は要部の概略縦断側面図、図３は破棄処理されたディスクＤの説明図、図４は変形例による掻き歯動作機構の要部を示した概略平面図である。
【００１８】
図１において、１はケースで、ヒンジ１１によって開閉可能に連結された下ケース１２と上ケース１３とでなる。下ケース１２に円板状の支持体２が昇降可能に配備されていると共に、その支持体２がばね２１によって常時上向きに付勢され、しかも、支持体２の上に円板状のゴム部材２２が接着剤などで接合された状態で相対回転しないように重ね合わされていて、支持体２の中央部の設けられた突起２３がゴム部材２２の中心孔を貫通して上向きに突き出ている。さらに、下ケース１２に形成されている円環状の段付面１４の上に円筒状ゴム部材３が重ね合わされている。
【００１９】
これに対し、上ケース１３に掻き歯動作機構５が取り付けられている。この掻き歯動作機構５は、上ケース１３の中心部に備わっている貫通孔１５に摺動可能に貫挿された連結軸５１と、この連結軸５１の上端に設けられた手動ハンドル５２と、連結軸５１の下端に設けられた回転部材６と、この回転部材６によって保持された単一の掻き歯６１と、後述するスクリュー機構７（図２参照）とを備えている。
【００２０】
図２のように、スクリュー機構７は、中空の上記回転部材６に収容されていて、両端がその回転部材６の端壁によって回転自在に支えられたスクリュー７１と、このスクリュー７１の螺旋溝に嵌合されて当該スクリュー７１に噛み合わされた従動子７２と、回転部材６の外側に配備されてスクリュー７１から回転部材６の外側に突出された軸部７３に固着された輪体７４と、回転部材６に形成されて上記掻き歯６１を案内するスリット状のガイド７５とを備えている。そして、図例では、従動子７２と掻き歯６１とが一体に形成されている。また、上ケース１３を閉じた状態では、図１のように、輪体７４が円筒状ゴム部材３の上面によって形成されている環状の摩擦面３１に乗り上がるようになっている。
【００２１】
さらに、上記ゴム部材２２の上面が摩擦載置面２４として形成され、この摩擦載置面２４の上方に、円筒状ゴム部材３によって囲まれた積重ねディスク収容スペースが形成されている。しかも、円筒状ゴム部材３の内周面も摩擦面３２として形成されている。
【００２２】
円筒状ゴム部材３の内周直径はディスクＤの外周直径と同等に定められている。そのため、上ケース１３をヒンジ１１を中心にして開いた後、突起２３にディスクＤの中心孔を嵌めてそのディスクＤを積重ねディスク収容スペースに収容させると、ディスクＤの外周面に円筒状ゴム部材３の内周面によって形成されている摩擦面３２が接触する。また、ディスク収容スペースに収容したディスクＤをゴム部材２２の上に載置すると、そのディスクＤが摩擦載置面２４に接触する。したがって、１枚のディスクＤの中心孔を突起２３に嵌めて摩擦載置面２４に載置すると、そのディスクＤは摩擦載置面２４と摩擦面２４とに接触する。また、複数枚のディスクＤ…を積み重ねてそれらの中心孔を突起２３に嵌めることによりそれらのディスクＤを積重ねディスク収容スペースに収容し、最も下側のディスクＤをゴム部材２２の上に載置すると、最も下側のディスクＤが摩擦載置面２４と摩擦面２４とに接触するのに対し、その上に積み重なっている残りのディスクＤは、それらの外周面が摩擦面３２に接触する。
【００２３】
なお、円筒状ゴム部材３には、ばね２１によって押し上げられる摩擦載置面２４の上限位置を規制する突出部３３が備わっている。
【００２４】
以上において、上ケース１３を開き、たとえば１枚のディスクＤをその記録面を上にして収容スペースに収容することによって摩擦載置面２４の上に載置した後、上ケース１３を図１のように閉じると、摩擦載置面２４が突出部３３に当たるまでばね２１によって押し上げられ、かつ、掻き歯動作機構５の輪体７４が摩擦面３１の上に乗り上がり、しかも、掻き歯６１がディスクＤの記録面の上に乗り掛かる。この状態で、手動ハンドル５２を押し付けたまま一方向に回転させると、掻き歯６１がディスクＤの記録面に押し付けれて回転部材６と共に回転し、しかも、回転部材６の回転によって輪体７４が摩擦面３１の上を転動してスクリュー７１をその軸線周りに回転させるので、掻き歯６１がスクリュー７１の回転に同調してスクリュー７１の軸線方向（ディスクＤの半径方向）に送り移動される。この結果、ディスクＤに掻き歯６１による螺旋状の掻き傷が付く。したがって、たとえば掻き歯６１の初期位置をディスクＤの外周部に定め、手動ハンドル５２を所定方向に回転させて掻き歯６１をディスクＤの中心に近い位置まで螺旋方向に移動させると、図３に示したような螺旋状の掻き傷ＧがディスクＤの記録面の全体に万遍なく形成されるようになる。また、掻き歯６１をディスクＤの内周側から外周側に向けて螺旋方向に移動させて掻き傷Ｇを形成することも可能である。
【００２５】
このような破棄処理操作において、ディスクＤは摩擦載置面２４の上に重なり合い、しかも、ディスクＤの外周面に摩擦面３２が接触しているので、ディスクＤにそれらの面２４，３２によって摩擦抵抗が付与される。そのため、掻き歯６１が螺旋方向に移動する際に、ディスクＤが掻き歯６１と共回りするという事態が起こらない。
【００２６】
複数枚のディスクＤを次々と連続して破棄処理するときには、上ケース１３を開き、所定枚数のディスクＤ…をそれらの記録面を上にして収容スペースに収容することによって摩擦載置面２４の上に載置した後、上ケース１３を図１のように閉じると、摩擦載置面２４が突出部３３に当たるまでばね２１によって押し上げられ、かつ、掻き歯動作機構５の輪体７４が摩擦面３１の上に乗り上がり、しかも、掻き歯６１がディスクＤの記録面の上に乗り掛かる。この状態で、手動ハンドル５２を押し付けたまま所定方向に回転させると、最も上側のディスクＤに掻き歯６１による螺旋状の掻き傷Ｇが付く。このときには、最も上側のディスクＤの外周面に摩擦面３２が接触しているので、ディスクＤにはその摩擦面３２によって摩擦抵抗が付与される。そのため、掻き歯６１が螺旋方向に移動する際に、最も上側のディスクＤが掻き歯６１と共回りするという事態が起こらない。こうして最も上側のディスクＤを破棄処理した後、上ケース１３を開いて破棄処理したディスクＤを取り出すと、ばね２１によって摩擦載置面２４が上限位置まで押し上げられるので、続いて上ケース１３を閉じて同様の操作を行うと、その時点での最も上側のディスクＤが同様に破棄処理される。この操作を切り返すことによって全部のディスクＤを次々と破棄処理することが可能である。
【００２７】
この実施形態では、掻き歯６１の初期位置を適切に定め、手動ハンドル５２による回転操作量を適切に定めることによって、掻き歯６１によってディスクＤの記録面を傷付ける範囲を任意の範囲に調節することが可能である。そのため、サイズの異なるディスクを破棄処理する際にも、摩擦載置面２４を掻き歯６１によって傷付けるという事態を起こさないようにすることが可能である。
【００２８】
この実施形態では、回転部材６が、ディスク収容スペースに収容されたディスクＤの記録面に対向してその直径方向に延びるようになっているけれども、たとえば図４のように回転部材６を十字形状に形成し、その回転部材６の４つの突出部分のそれぞれに４つのスクリュー機構７を個別に取り付けておくと、破棄処理によってディスクＤの記録面に４条の螺旋状の掻き傷が形成されて掻き溝の密度が高くなる。そのため、より確実の破棄処理を行うことが可能になる。
【００２９】
上記した実施形態では、スクリュー機構７が、回転軸線をディスクＤの半径方向に沿わせて回転部材６に取り付けられたスクリュー７１を有しているので、破棄処理後のディスクＤの記録面の全体に同心状の螺旋状の掻き傷を付けることが容易に可能になる。
【００３０】
なお、実施形態では、回転部材６を手動ハンドル５２の操作によって手動回転させるようにした物を説明したけれども、この点は、回転部材６にモータ（不図示）の回転を伝達するようにして電動回転式としてもよい。また、１つのスクリュー７１に噛み合った従動子７２に複数の掻き歯６１を具備させることも可能である。
【図面の簡単な説明】
【００３１】
【図１】本発明に係るディスク型記録媒体の破棄処理装置の概略縦断正面図である。
【図２】要部の概略縦断側面図である。
【図３】破棄処理されたディスクの説明図である。
【図４】変形例による掻き歯動作機構の要部を示した概略平面図である。
【符号の説明】
【００３２】
Ｄ  ディスク型記録媒体（ディスク）
２  支持体
３  円筒状ゴム部材
５  掻き歯動作機構
６  回転部材
７  スクリュー機構
２４  摩擦載置面
２２  ゴム部材
３１  摩擦面
３２  摩擦面
５２  手動ハンドル
６１  掻き歯
７１  スクリュー
７２  従動子
７４  輪体
７５  ガイド
【図１】
2005122850.tif 000003
【図２】
2005122850.tif 000004
【図３】
2005122850.tif 000005
【図４】
2005122850.tif 000006